(57)【要約】【課題】携帯が簡便で使用が便利であるようにコンパクトでシミ、くすみ及びシワのような皮膚トラブルを改善するためのスポットケア専用のイオン導入装置を提供すること。  また、イオン導入装置と活性物質を貯蔵する第１接触部を結合して、シミ、くすみ及びシワのような皮膚トラブルを改善することができ、活性物質を直接手や他のツールを利用して塗った後、皮膚管理をしなければならない不便を改善して便宜性を提供すること。【解決手段】携帯が簡便で使用が便利にコンパクトでシミ、くすみ及びシワのような皮膚トラブルを改善するためのスポットケア専用のイオン導入装置を提供する。イオン導入装置は内部空間を備えるハウジング、ハウジング内部に装着されて電源を供給する電池、電池から出力される電流を制御する電流制御回路、電池の２つの電極のうちのいずれか１つの電極に電気的に連結され、皮膚に接触する第１接触部、電池の２つの電極の中で他の１つの電極に電気的に連結され、ハウジングに位置する第２接触部及び電源のオン／オフのための操作部を含む。
2010502263.tif 000002
【特許請求の範囲】
【請求項１】
活性物質の皮膚吸収を促進するためのイオン導入装置であって、
内部空間を備えるハウジングと、
前記ハウジング内部に装着されて電源を供給する電池と、
前記電池から出力される電流を制御する電流制御回路と、
前記電池に電気的に連結され、皮膚に接触する第１接触部と、
前記電池に電気的に連結され、前記ハウジングに位置する第２接触部と、及び
前記電源のオン／オフのための操作部を備えてなる、イオン導入装置。
【請求項２】
前記ハウジングの一端に前記活性物質が充填される貯蔵所をさらに備えてなり、
前記第１接触部が前記貯蔵所に設けられ、前記貯蔵所に充填された活性物質を外部へ排出する排出手段を備えてなることを特徴とする、請求項１に記載のイオン導入装置。
【請求項３】
前記貯蔵所が外部ケース及びこの外部ケースの内部に装着される透明な材質の貯蔵筒からなることを特徴とする、請求項２に記載のイオン導入装置。
【請求項４】
前記貯蔵所が前記外部ケースと貯蔵筒の間に前記第１接触部と電気的に連結される導電層を備えてなることを特徴とする、請求項３に記載のイオン導入装置。
【請求項５】
前記貯蔵筒が前記外部ケース及び導電層から分離可能なものであることを特徴とする、請求項４に記載のイオン導入装置。
【請求項６】
前記貯蔵筒がガラス材質からなることを特徴とする、請求項５に記載のイオン導入装置。
【請求項７】
前記外部ケースが前記貯蔵筒に保管された活性物質の残留量を確認することができる表示部を備えてなることを特徴とする、請求項２に記載のイオン導入装置。
【請求項８】
前記外部ケースが絶縁性材質からなることを特徴とする、請求項７に記載のイオン導入装置。
【請求項９】
前記表示部が前記外部ケースの一部がスロット形状に除去されて形成されることを特徴とする、請求項７に記載のイオン導入装置。
【請求項１０】
前記排出手段が前記第１接触部を貫通しながら、前記貯蔵筒の活性物質を吸収して外部に排出できるように毛細管作用を有する芯地からなることを特徴とする、請求項４に記載のイオン導入装置。
【請求項１１】
前記排出手段が前記貯蔵筒の開口部側に装着されるエアーリースポンプからなることを特徴とする、請求項４に記載のイオン導入装置。
【請求項１２】
前記第１接触部を保護するように前記貯蔵所に着脱されるキャップをさらに備えてなることを特徴とする、請求項２に記載のイオン導入装置。
【請求項１３】
前記電池がコイン形電池、シート形電池または円筒形電池からなることを特徴とする、請求項２に記載のイオン導入装置。
【請求項１４】
前記ハウジングには前記電池を交換するための開閉部が形成されることを特徴とする、請求項１３に記載のイオン導入装置。
【請求項１５】
前記電流制御回路が前記電池から前記第１接触部を通って使用者の皮膚に流れる電流の強さを調節することができる機能を有することを特徴とする、請求項２に記載のイオン導入装置。
【請求項１６】
前記電源のオン／オフ及び電流の強さを表示する指示部をさらに備えてなることを特徴とする、請求項１５に記載のイオン導入装置。
【請求項１７】
前記電流制御回路がパルス（ｐｕｌｓｅ）形態の電流が使用者の皮膚に印加されるようにする機能を有することを特徴とする、請求項２に記載のイオン導入装置。
【請求項１８】
前記パルス形態の電流が１０００乃至５００００Ｈｚの間の周波数を有することを特徴とする、請求項１７に記載のイオン導入装置。
【請求項１９】
前記第１接触部がステレンス鋼からなることを特徴とする、請求項２に記載のイオン導入装置。
【請求項２０】
前記第１接触部の表面には窒化チタン（ＴｉＮ）からなるコーティング膜が形成されることを特徴とする、請求項１９に記載のイオン導入装置。
【請求項２１】
前記ハウジングの一端に前記活性物質が充填される貯蔵所をさらに備えてなり、
前記貯蔵所が、
外部ケース及び
前記外部ケース内部に装着されて前記第１接触部と電気的に連結されるように適用された導電層を備えてなり、
前記第１接触部はボールであることを特徴とする、請求項１に記載のイオン導入装置。
【請求項２２】
前記貯蔵所がその一端に開口部を有し、前記ボールが前記開口部に設けられて回転可能なものであることを特徴とする、請求項２１に記載のイオン導入装置。
【請求項２３】
前記活性物質が美白作用を有する物質を含むことを特徴とする、請求項１乃至２２のいずれかに記載のイオン導入装置。
【請求項２４】
前記美白作用を有する物質が、アルブチン、ビタミンＣ、ＭＡＰ（リン酸アスコルビルマグネシウム）、及びＡＡ−２Ｇ（アスコルビン酸２-グルコシド）のうちのいずれか１種以上を含むことを特徴とする、請求項２３に記載のイオン導入装置。
【請求項２５】
前記活性物質がシワ改善作用を有する物質を含むことを特徴とする、請求項１乃至２２のいずれかに記載のイオン導入装置。
【請求項２６】
前記シワ改善作用を有する物質がビタミンＣ、ＭＡＰ（リン酸アスコルビルマグネシウム）、ＡＡ−２Ｇ（アスコルビン酸２-グルコシド）、ペオニフロリン（ｐａｅｏｎｉｆｌｏｒｉｎ）、カイネチン（ｋｉｎｅｔｉｎ）、オーキシン（ａｕｘｉｎ）、ペプチド（ｐｅｐｔｉｄｅ）及びアルファヒドロキシ酸（ａｌｐｈａ−ｈｙｄｒｏｘｙａｃｉｄ）のうちのいずれか１種以上を含むことを特徴とする、請求項２５に記載のイオン導入装置。
【請求項２７】
前記ペプチドが１０個以下のアミノ酸を含むことを特徴とする、請求項２６に記載のイオン導入装置。
【請求項２８】
前記ペプチドが２個乃至６個のアミノ酸を含むことを特徴とする、請求項２７に記載のイオン導入装置。
【請求項２９】
前記第１接触部が、
前記ハウジングの一端に着脱可能な構造で結合され、活性物質が充填される内部空間を有することを特徴とする、請求項１に記載のイオン導入装置。
【請求項３０】
前記ハウジングが前記第１接触部と結合される一端に突出部が形成されることを特徴とする、請求項２９に記載のイオン導入装置。
【請求項３１】
前記突出部が円柱形状に形成されることを特徴とする、請求項３０に記載のイオン導入装置。
【請求項３２】
前記突出部の円周面には雄ネジが形成されることを特徴とする、請求項３１に記載のイオン導入装置。
【請求項３３】
前記第１接触部の内面には前記突出部の雄ネジに対応する雌ネジが形成され、前記第１接触部が前記突出部とネジ結合されることを特徴とする、請求項３２に記載のイオン導入装置。
【請求項３４】
前記第１接触部が一端に開口部を有し、
前記第１接触部が前記開口部に設けられて回転するボールを備えてなることを特徴とする、請求項３３に記載のイオン導入装置。
【請求項３５】
前記第１接触部の内面には導電層が形成されることを特徴とする、請求項２９に記載のイオン導入装置。
【請求項３６】
前記第１接触部が導電体で形成されることを特徴とする、請求項２９に記載のイオン導入装置。
【請求項３７】
前記ハウジングがバー形からなることを特徴とする、請求項２９に記載のイオン導入装置。
【請求項３８】
前記第１接触部が、
内面に前記突出部の雄ネジに対応する雌ネジが形成され、前記突出部とネジ結合される本体部と、
前記本体部に結合されて皮膚マッサージを行うヘッド部を備えてなることを特徴とする、請求項３２に記載のイオン導入装置。
【請求項３９】
前記本体部の内面には導電層が形成されることを特徴とする、請求項３８に記載のイオン導入装置。
【請求項４０】
前記本体部が導電体で形成されることを特徴とする、請求項３８に記載のイオン導入装置。
【請求項４１】
前記本体部とヘッド部は一体に形成されることを特徴とする、請求項３８に記載のイオン導入装置。
【請求項４２】
前記第１接触部が、
前記突出部の雄ネジと同一に形成される雄ネジを有するキャップ部と、
前記キャップ部が結合される上面が開口されて内部空間を有し、内面には前記キャップ部の雄ネジに対応する雌ネジが形成されて前記キャップ部とネジ結合されるボディー部を備えてなることを特徴とする、請求項３２に記載のイオン導入装置。
【請求項４３】
前記ボディー部の下面には突起部が結合されることを特徴とする、請求項４２に記載のイオン導入装置。
【請求項４４】
前記突起部がその一端に開口部を有する円筒形に形成され、前記第１接触部は前記開口部に設けられて回転するボールを備えてなることを特徴とする、請求項４２に記載のイオン導入装置。
【請求項４５】
前記突起部の外周面には雄ネジが形成されることを特徴とする、請求項４４に記載のイオン導入装置。
【請求項４６】
前記突起部の雄ネジに対応する雌ネジを内面に形成し、前記突起部とネジ結合される保護キャップをさらに備えてなることを特徴とする、請求項４５に記載のイオン導入装置。
【請求項４７】
前記ボディー部がガラス、アクリロニトリルブタジエンスチレン（ＡＢＳ）、ポリエチレン（ＰＥ）、ポリエチレンテレフタレート（ＰＥＴ）、導電性プラスチックの中でいずれか１種の材質からなることを特徴とする、請求項４２に記載のイオン導入装置。
【請求項４８】
前記ボディー部がガラスで形成され、前記ボディー部の内面は導電性プラスチックで形成されることを特徴とする、請求項４２に記載のイオン導入装置。
【請求項４９】
前記保護キャップに結合されて皮膚マッサージを行うヘッド部を備えてなることを特徴とする、請求項４６に記載のイオン導入装置。
【請求項５０】
前記保護キャップの内面には導電層が形成されることを特徴とする、請求項４９に記載のイオン導入装置。
【請求項５１】
前記保護キャップは導電体で形成されることを特徴とする、請求項４９に記載のイオン導入装置。
【請求項５２】
前記保護キャップとヘッド部は一体に形成されることを特徴とする、請求項４９に記載のイオン導入装置。
【請求項５３】
前記ハウジング内に備えられて活性物質を貯蔵する貯蔵所をさらに備えてなり、
前記第１接触部が、
前記貯蔵所の一端に結合され、前記貯蔵所内の活性物質が外部に流出される経路を形成するボール接触部と、
前記ボール接触部を覆う構造で前記貯蔵所に結合され、表面に皮膚をマッサージするキャップ接触部を備えてなることを特徴とする、請求項１に記載のイオン導入装置。
【請求項５４】
前記ボール接触部が、
前記貯蔵所に一端が連結される連結部材と、
前記連結部材の他端に開口部を形成し、前記開口部に設けられて回転するボールと、
前記連結部材内で前記貯蔵所の一端と前記ボールの間に備えられて前記ボールを支持する弾性部材を備えてなることを特徴とする、請求項５３に記載のイオン導入装置。
【請求項５５】
前記貯蔵所が、
前記連結部材と連結される部分が一部突き出されて、前記連結部材内に挿入される円柱形状の突出部を備えてなり、
前記突出部は開口部を有し、前記活性物質の外部流出経路を形成することを特徴とする、請求項５４に記載のイオン導入装置。
【請求項５６】
前記突出部の開口部に密着して前記弾性部材を支持するガイド部材をさらに備えてなることを特徴とする、請求項５５に記載のイオン導入装置。
【請求項５７】
前記ガイド部材が、前記弾性部材が密着する凹溝の底面を有し、前記底面には活性物質の排出口が形成されることを特徴とする、請求項５６に記載のイオン導入装置。
【請求項５８】
前記ガイド部材が円周方向でかかり部が形成され、前記かかり部の直径が前記突出部の開口部内径よりより大きく形成されることを特徴とする、請求項５７に記載のイオン導入装置。
【請求項５９】
前記キャップ接触部が導電体で形成されることを特徴とする、請求項５３に記載のイオン導入装置。
【発明の詳細な説明】
【技術分野】
【０００１】
本発明はイオン導入装置に関し、特に、美容効果を生じると予想される化学物質（以後、活性物質と呼ぶ）の携帯が容易で、微細電流によるイオントフォレシス（ｉｏｎｔｏｐｈｏｒｅｓｉｓ）の原理を利用するイオン導入装置に関するものである。
【背景技術】
【０００２】
皮膚、特に顔の皮膚管理のために保湿剤のような皮膚に有益で多様な成分を含む活性物質や化粧品などを皮膚深く吸収させるために、活性物質や化粧品などを塗布した不織布を含むマスクパック（ｍａｓｋ ｐａｃｋ）を一定時間皮膚に付着する方法が使用されてきた。
【発明の概要】
【発明が解決しようとする課題】
【０００３】
しかし、従来の単純なマスクパックによる活性物質の単純吸収では満足する程度の皮膚吸収量と効能を得ることができなかった。
【０００４】
これを改善するために、皮膚に微細電流を流して電荷を有する薬品や有効成分を電気反発力によって皮膚に浸透させる方法をマスクパックに適用した技術が開示されている。しかし、このようなマスクパックは皮膚に屈曲があるため付着性が良くないだけでなく、使用者の顔から取り外す時、使用者が苦痛を感じる問題がある。
【０００５】
一方、イオントフォレシスの原理を利用した皮膚美容機器があるが、多くの機器は重くて携帯が不便で、またこのような皮膚美容機器は皮膚全体に有用な活性成分の吸収増加のために使用されるものであるため、この皮膚美容機器を多くの使用者が所望する皮膚のスポットケア（局所手当て）に適用することは難しい。
【０００６】
また、従来皮膚美容機器は活性物質を直接手に付着させて皮膚に塗って使用しなければならないために不便な問題がある。
【０００７】
本発明の目的とするところは、携帯が簡便で使用が便利であるようにコンパクトでシミ、くすみ及びシワのような皮膚トラブルを改善するためのスポットケア専用のイオン導入装置を提供することにある。
【０００８】
また、イオン導入装置と活性物質を貯蔵している第１接触部を結合して、シミ、くすみ及びシワのような皮膚トラブルを改善することができ、活性物質を直接手や他のツールを利用して塗った後、皮膚管理をしなければならない不便を改善して便宜性を提供することにある。
【課題を解決するための手段】
【０００９】
本発明の実施形態によるイオン導入装置は内部空間を備えるハウジング、ハウジング内部に装着されて電源を供給する電池、電池から出力される電流を制御する電流制御回路、電池の２つの電極のうちのいずれかの電極に電気的に連結されて皮膚に接触する第１接触部、電池の２つの電極の中で他の１つの電極に電気的に連結されてハウジングに位置する第２接触部及び電源のオン／オフのための操作部を含む。
【００１０】
また、ハウジングの一端には活性物質が充填される貯蔵所が形成されてもよい。この時、第１接触部は貯蔵所に設けられ、貯蔵所に充填された活性物質を外部に排出する排出手段を含むことができる。
【００１１】
また、貯蔵所は外部ケース及びこの外部ケース内部に装着される透明な材質の貯蔵筒からなることができる。
【００１２】
また、貯蔵所は外部ケースと貯蔵筒の間に第１接触部と電気的に連結する導電層を含むことができる。
【００１３】
また、貯蔵筒は外部ケース及び導電層から分離可能に形成することができる。
【００１４】
また、貯蔵筒はガラス材質からなることができる。
【００１５】
また、外部ケースは貯蔵筒に保管された活性物質の残留量が確認できる表示部を含むことができ、この時、表示部は外部ケースの一部をスロット形状に除去して形成できる。
【００１６】
また、外部ケースは絶縁性材質からなることができる。
【００１７】
また、排出手段は第１接触部を貫通しながら、貯蔵筒の活性物質を吸収して外部へ排出できるように毛細管作用を有する芯地で構成されることができる。
【００１８】
また、排出手段は貯蔵筒の開口部側に装着されるエアーリースポンプからなることができる。
【００１９】
また、第１接触部を保護するように貯蔵所に着脱されるキャップを形成することができる。
【００２０】
また、貯蔵所の一端に設けられて排出手段及び第１接触部役割を果たすボールを含むことができる。
【００２１】
また、電池はコイン形電池、シート形電池または円筒形電池からなることができる。
【００２２】
また、ハウジングには電池を交換するための開閉部が形成されることができる。
【００２３】
また、電流制御回路は電池から第１接触部を通って使用者の皮膚に流れる電流の強さを調節する機能を有することができる。
【００２４】
また、イオン導入装置は電源のオン／オフ及び電流の強さを表示する指示部をさらに含むことができる。
【００２５】
また、電流制御回路はパルス（ｐｕｌｓｅ）形態の電流が使用者の皮膚に印加されるようにする機能を有することができ、この時、パルス形態の電流は１０００乃至５００００Ｈｚの間の周波数を有することができる。
【００２６】
また、第１接触部はステレンス鋼からなることができ、第１接触部の表面には窒化チタン（ＴｉＮ）からなるコーティング膜を形成することができる。
【００２７】
また、活性物質は美白作用を有する物質を含むことができ、ここで、美白作用を有する物質はアルブチン（ａｒｂｕｔｉｎ）、ビタミンＣ（ａｓｃｏｒｂｉｃ ａｃｉｄ）、ＭＡＰ（リン酸アスコルビルマグネシウム）及びＡＡ−２Ｇ（アスコルビン酸２-グルコシド）のうちのいずれか１種以上を含むことができる。
【００２８】
また、活性物質はシワ改善作用を有する物質を含むことができ、シワ改善作用を有する物質はビタミンＣ、ＭＡＰ、ＡＡ−２Ｇ、ペオニフロリン（ｐａｅｏｎｉｆｌｏｒｉｎ）、カイネチン（ｋｉｎｅｔｉｎ）、オーキシン（ａｕｘｉｎ）、ペプチド（ｐｅｐｔｉｄｅ）及びアルファヒドロキシ酸（ａｌｐｈａ−ｈｙｄｒｏｘｙａｃｉｄ）のうちのいずれか１種以上を含むことができる。
【００２９】
また、本発明の実施形態によるイオン導入装置は内部空間を備えるハウジング、ハウジング内部に装着されて電源を供給する電池、電池から出力される電流を制御する電流制御回路、電池の２つの電極のうちのいずれか１つの電極に電気的に連結され、皮膚に接触する第１接触部、電池の２つの電極の中で他の１つの電極に電気的に連結され、ハウジングの側面に位置する第２接触部及び電源のオン／オフのための操作部を含み、第１接触部はハウジングの一端に着脱可能な構造で結合され、活性物質が充填される内部空間を有する。
【００３０】
ハウジングはバー形からなることができ、第１接触部と結合する一端に突出部が形成されることもできる。
【００３１】
突出部は円柱形状に形成され、突出部の円周面には雄ネジが形成されてもよい。
【００３２】
第１接触部の内面には突出部の雄ネジに対応する雌ネジが形成され、第１接触部は突出部とネジ結合できる。第１接触部は一端に開口部を有し、第１接触部は開口部に設けられて回転するボール（ｂａｌｌ）を含むことができる。
【００３３】
第１接触部の内面には導電層が形成されてもよく、第１接触部は導電体で形成されることができる。
【００３４】
また、第１接触部は内面に突出部の雄ネジに対応する雌ネジが形成され、突出部とネジ結合される本体部、本体部に結合して皮膚マッサージを行うヘッド部を含むことができる。
【００３５】
本体部の内面には導電層が形成されてもよく、本体部は導電体で形成されることができる。そして、本体部とヘッド部は一体に形成されることができる。
【００３６】
なお、第１接触部は突出部の雄ネジと同一に形成される雄ネジを有するキャップ部、キャップ部が結合される上面が開口されて内部空間を有し、内面にはキャップ部の雄ネジに対応する雌ネジが形成されてキャップ部とネジ結合するボディー部を含むことができる。
【００３７】
ボディー部の下面には突起部が結合されることができる。突起部はその一端に開口部を有する円筒形に形成され、第１接触部は開口部に設けられて回転するボールを含むことができる。突起部の外周面には雄ネジが形成されることができる。突起部の雄ネジに対応する雌ネジを内面に形成し、突起部とネジ結合される保護キャップをさらに含むことができる。
【００３８】
ボディー部はガラス、アクリロニトリルブタジエンスチレン（ＡＢＳ）、ポリエチレン（ＰＥ）、ポリエチレンテレフタレート（ＰＥＴ）、導電性プラスチックの中でいずれか１種の材質からなることができる。そして、ボディー部はガラスで形成されることができ、ボディー部の内面は導電性プラスチックで形成することができる。
【００３９】
保護キャップに結合されて皮膚マッサージを行うヘッド部を含むことができる。保護キャップの内面には導電層が形成されることができ、保護キャップは導電体で形成することができる。そして、保護キャップとヘッド部は一体に形成することができる。
【００４０】
また、本発明の実施形態によるイオン導入装置はハウジング内に備えられて活性物質を貯蔵する貯蔵所をさらに含み、第１接触部は貯蔵所の一端に結合され、貯蔵所内の活性物質が外部へ流出される経路を形成するボール接触部、ボール接触部を覆う構造で貯蔵所に結合され、表面で皮膚をマッサージするキャップ接触部を含む。
【００４１】
ボール接触部は貯蔵所に一端が連結される連結部材、連結部材の他端に開口部を形成し、開口部に設けられて回転するボール、連結部材内で貯蔵所の一端とボールの間に備えられてボールを支持する弾性部材を含むことができる。
【００４２】
貯蔵所は連結部材と連結される部分が一部突き出されて連結部材内に挿入される円柱形状の突出部を含み、突出部は開口部を有して活性物質の外部流出経路を形成することができる。
【００４３】
突出部の開口部に密着されて弾性部材を支持するガイド部材をさらに含み、ガイド部材は弾性部材が密着される凹溝の底面を有し、底面には活性物質の排出口が形成されることができる。ガイド部材は円周方向にかかり部が形成され、かかり部の直径は突出部の開口部内径よりより大きく形成されることができる。
【００４４】
キャップ接触部は導電体で形成され、皮膚マッサージを行う時、イオン導入機能を有することができる。
【発明の効果】
【００４５】
皮膚のシミ、くすみ、シワなどが位置する部位のみを集中的にケアすることができ、コンパクトに構成されて携帯が簡便で、皮膚の安全性及び使用上の便宜性を極大化することができる。
【図面の簡単な説明】
【００４６】
【図１】本発明の第１実施形態にかかるイオン導入装置の概略的な断面図である。
【図２】本発明の第２実施形態にかかるイオン導入装置の概略的な断面図である。
【図３】本発明の第３実施形態にかかるイオン導入装置の概略的な断面図である。
【図４】本発明の第４実施形態にかかるイオン導入装置の概略的な断面図である。
【図５】本発明の第５実施形態にかかるイオン導入装置の概略的な断面図である。
【図６】本発明の第６実施形態にかかるイオン導入装置の構成を示す断面図である。
【図７】図６の第１接触部の結合関係を示す分離図である。
【図８】本発明の第７実施形態にかかる第１接触部の結合関係を示す分離図である。
【図９】本発明の第８実施形態にかかる第１接触部の結合関係を示す分離図である。
【図１０】図９の線Ｘ−Ｘによる断面図である。
【図１１】本発明の第９実施形態にかかる第１接触部の結合関係を示す分離図である。
【図１２】図１１の線ＸII−ＸIIによる断面図である。
【図１３】本発明の第１０実施形態にかかるイオン導入装置の構成を示す断面図である。
【図１４】図１３のキャップ接触部が分離された状態を示す分離図である。
【図１５】図１３のキャップ接触部が結合された状態を示す結合図である。
【図１６】図１３のボール接触部の構成を示す分離斜視図である。
【発明を実施するための形態】
【００４７】
以下に添付した図面を参照しながら、本発明の実施の形態について本発明が属する技術分野における通常の知識を有する者が容易に実施できるように詳しく説明する。本発明は多様に相異なる形態で実現することができ、以下で説明する実施形態に限られない。そして、本明細書及び図面で同一符号は同一な構成要素を示す。
【００４８】
図１を参照すると、本発明の第１実施形態にかかるイオン導入装置１００Ａはハウジング１０、電池１２、電流制御回路１４、第１接触部１６、第２接触部１８、操作部２０及び指示部２２を含む。
【００４９】
ハウジング１０はイオン導入装置１００Ａの本体で、使用者のグリップ（ｇｒｉｐ）が容易で携帯が簡便にバー形で形成され、電池１２及び電流制御回路１４等を内部に装着できるように所定の空間を備える。ハウジング１０の一端には電池１２を交換するように開閉部１２１が形成される。
【００５０】
ハウジング１０は第１接触部１６と第２接触部１８が互いに電気的に絶縁されるように絶縁性材質からなることができ、その断面形状は円形、多角形など、多様に形成することができる。
【００５１】
電池１２は化学的エネルギーを利用して電気エネルギーで出力することができる任意の電池を使用することができる。例えば、電池１２はサイズが小さくて軽いコイン形電池、シート形電池または円筒形電池からなることができる。サイズが小さくて軽いコイン形電池やシート形電池が使用されることによって、イオン導入装置の全体的なサイズ及び重量が減少してイオン導入装置の使用が非常に便利になる。
【００５２】
電流制御回路１４は電池１２と第１連結線２４を通じて電気的に連結され、電池１２から出力される電流を制御する。この電流制御回路１４は電池１２から第１接触部１６を通じて使用者の皮膚に流れる電流の強さを調節できる機能を有するように形成されることができる。
【００５３】
そして、電流制御回路１４はパルス（ｐｕｌｓｅ）形態の電流を使用者の皮膚に印加する機能を有するように形成できる。パルス形態の電流が供給されることによって、皮膚の分極現象（ｐｏｌａｒｉｚａｔｉｏｎ）による皮膚刺激が減少して、紅斑や火傷の発生を最少化することができる。例えば、パルス形態の電流は１０００乃至５００００Ｈｚの間の周波数を有することができる。高い周波数の電流が印加されると、皮膚でのインピーダンスが低くなって抵抗を下げる効果を得ることができるが、薬品透過深さが浅くなる問題がある。これに反し、低い周波数の電流が印加されると、薬品透過深さは増加するが、皮膚抵抗の増加によって薬品透過量が減少する問題がある。したがって、これを考慮した最適の周波数範囲は１０００乃至５００００Ｈｚである。
【００５４】
そして、電流制御回路１４は通電時間と非通電時間を有することができる。通電時間と非通電時間の合計に対する通電時間の比をデューティーサイクル（ｄｕｔｙ ｃｙｃｌｅ）と言うが、これは皮膚に電流を切る休止期を与えて分極を解消するためである。このデューティーサイクルも電流の強さ及び薬品の種類に応じて適切に調節することができる。
【００５５】
上記のような機能を有する電流制御回路１４それ自体は本発明が属する技術分野における通常の知識を有する者に自明なことであるので、これについての詳細な説明は省略する。
【００５６】
第１接触部１６は第１連結線２４及び第２連結線２６を通じて電池１２の２つの電極のうちのいずれか１つの電極に電気的に連結されながら、皮膚に直接接触する。第１接触部１６は使用者がケアしようとする皮膚と直接接触する部位で、ハウジング１０の一端部に装着されることができる。また、第１接触部１６は部分的な皮膚との接触のために点または線接触が可能に構成されることができる。
【００５７】
第１接触部１６は電気伝導性と皮膚安全性に優れたステレンス鋼からなることができ、その表面に窒化チタン（ＴｉＮ）からなるコーティング膜が形成されて皮膚のアレルギー反応を抑制することができる。
【００５８】
第２接触部１８は第１連結線２４及び第３連結線２８を通じて電池１２の２つの電極の中で他の１つの電極に電気的に連結される。この第２接触部１８は使用者イオン導入装置１００Ａを手で握って使用する場合、直接使用者の手と接触する部位である。
【００５９】
操作部２０はイオン導入装置１００Ａのオン/オフ及び電流制御回路１４の強度調節を担当する１つのボタンで構成することができ、第４連結線３０を通じて電流制御回路１４と連結される。一例として、操作部２０はボタンを１回押すと電源がオンになって低電流が、ボタンを２回押すと中電流、ボタンを３回押すと高電流が流れるようにし、ボタンを４回押すと電源がオフになるように構成される。
【００６０】
指示部２２は操作部２０の信号に応じてイオン導入装置１００Ａの状態を表示するもので、発光ダイオード（ＬＥＤ）のようなランプで構成することができ、第５連結線３２を通じて電流制御回路１４と連結される。一例として、ランプは操作部２０ボタンを１回押す場合に緑色に、２回押す場合には樺色、３回押す場合には赤色、４回押す場合には消えるように構成される。
【００６１】
このような構成を有する本発明の実施形態にかかるイオン導入装置１００Ａは電池１２、電流制御回路１４、第１接触部１６、使用者の身体、第２接触部１８及び電池１２を連結する閉（ｃｌｏｓｅｄ）電気回路を構成する。
【００６２】
したがって、電池１２から使用者の身体へ電流が流れ、その結果、活性物質がイオントフォレシス効果によって皮膚への吸収が促進される。
【００６３】
図２は本発明の第２実施形態にかかるイオン導入装置の概略的な断面図であり、図３は本発明の第３実施形態にかかるイオン導入装置の概略的な断面図であり、図４は本発明の第４実施形態にかかるイオン導入装置の概略的な断面図であり、図５は本発明の第４実施形態にかかるイオン導入装置の概略的な断面図で、活性物質を保管する貯蔵所を含むイオン導入装置を示す。
【００６４】
説明に先立ち、第１実施形態と同一な構成要素については同一図面符号を使用し、これについては説明を省略する。
【００６５】
図２を参照すると、本発明の実施形態にかかるイオン導入装置１００Ｂはハウジング１０の一端に活性物質が充填される貯蔵所３４を含む。この貯蔵所３４は絶縁性材質からなる外部ケース３４１及び第２連結線２６と電気的に連結されながら、外部ケース３４１内に密着形成される導電層３４２を含む。
【００６６】
第１接触部３６は導電層３４２と電気的に連結され、貯蔵所３４の一端に設けられる。この第１接触部３６は貯蔵所３４内に充填された活性物質を外部に排出する排出手段を備える。この排出手段は、一例として、芯地３６１からなることができる。この芯地３６１の一時的貯蔵所３４内の活性物質と接触し、他の一時的に皮膚と接触するように第１接触部３６を貫通して外部へ突出形成される。
【００６７】
芯地３６１は活性物質を吸収した後、所定の圧力を加えると含浸された活性物質を圧出するように不織布のような材質からなることができる。
【００６８】
活性物質は美白作用を有する物質を含むことができる。例えば、美白作用を有する物質は、アルブチン（ａｒｂｕｔｉｎ）、ビタミンＣ、ＭＡＰ（リン酸アスコルビルマグネシウム）及びＡＡ−２Ｇ（アスコルビン酸２-グルコシド）のうちのいずれか１種以上を含むことができる。公知のように、ＭＡＰとＡＡ−２ＧはビタミンＣ誘導体である。
【００６９】
また、活性物質はシワ改善作用を有する物質を含むことができる。例えば、シワ改善作用を有する物質は、ビタミンＣ、ＭＡＰ（リン酸アスコルビルマグネシウム）、ＡＡ−２Ｇ（アスコルビン酸２-グルコシド）、ペオニフロリン（ｐａｅｏｎｉｆｌｏｒｉｎ）、カイネチン（ｋｉｎｅｔｉｎ）、オーキシン（ａｕｘｉｎ）、ペプチド（ｐｅｐｔｉｄｅ）、アルファヒドロキシ酸（ａｌｐｈａ−ｈｙｄｒｏｘｙａｃｉｄ）のうちのいずれか１種以上を含むことができる。
【００７０】
この時、ペプチドは１０個以下のアミノ酸を含むペプチドであるのが好ましい。その理由はアミノ酸の個数が過剰に多いペプチドはイオントフォレシス作用がある場合にも経皮吸収が低調であるためである。特に、ペプチドが２個乃至６個のアミノ酸を含むペプチドであるのが好ましいが、その理由はこの程度の個数のアミノ酸を有するペプチドの経皮吸収率が非常に良好であるためである。
【００７１】
上記のように、本発明の実施形態にかかるイオン導入装置１００Ｂは貯蔵所３４を含み、排出手段を通じて直接皮膚に活性物質を排出しながら使用することができるので、手で直接活性物質を塗らなければならない問題が改善される。
【００７２】
図３を参照すると、本発明の実施形態にかかるイオン導入装置１００Ｃはハウジング１０から分離可能な貯蔵所３８を含む。より具体的に、貯蔵所３８は絶縁性材質の外部ケース３８１、第２連結線２６と電気的に連結され、外部ケース３８１内面に密着形成される導電層３８２及び外部ケース３８１と導電層３８２内に位置する貯蔵筒３８３を含む。
【００７３】
貯蔵筒３８３は外部ケース３８１及び導電層３８２から分離可能に形成されて、貯蔵筒３８３内の活性物質が消耗した場合には交換することができる。
【００７４】
貯蔵筒３８３は第１接触部３６の芯地３６１が挿入できるように開口部が形成され、ガラスのような透明な材質からなることができる。
【００７５】
また、外部ケース３８１及び導電層３８２には貯蔵筒３８３に保管された活性物質の残留量が確認できるように表示部が形成されることができる。一例として、表示部は外部ケース３８１及び導電層３８２に縦方向に長いスロット形状の溝を作って形成することができる。
【００７６】
そして、本発明の実施形態にかかるイオン導入装置１００Ｃは第１接触部３６を保護するために貯蔵所３８またはハウジング１０に着脱可能なキャップ４２をさらに含むことができる。
【００７７】
図４を参照すると、本発明の実施形態にかかるイオン導入装置１００Ｄは貯蔵所４４から活性物質を排出するために、排出手段としてエアーリースポンプ４６１を備えた第１接触部４６を含む。
【００７８】
エアーリースポンプ４６１は貯蔵筒４４１の開口部に取り付けられ、シャフト４６２のプッシュ作用によって貯蔵筒４４１内部の活性物質を外部に排出させる。このシャフト４６２は貯蔵所４４の導電層４４２と電気的に連結された第１接触部４６のプッシュ作用によって往復運動する。
【００７９】
そして、エアーリースポンプはピストンの往復運動による圧力変化で容器内の流体を外部に排出するデバイスで、公知のすべてのエアーリースポンプが本発明のイオン導入装置に適用できる。
【００８０】
図５は本発明の第５実施形態にかかるイオン導入装置１００Ｅを示す。本発明の第５実施形態にかかるイオン導入装置１００Ｅは図２のイオン導入装置１００Ｂと類似しているので、同一な部分には同一図面符号を使用し、その詳しい説明は省略する。
【００８１】
図５を参照すると、イオン導入装置１００Ｅは貯蔵所４８から活性物質を排出するための排出手段としてボール５０を含む。貯蔵所４８は外部ケース４８１と、導電層３４２を含み、貯蔵所４８内部には活性物質が充填される。外部ケース４８１は絶縁性材質からなる。導電層３４２は第２連結線２６と電気的に連結される。
【００８２】
貯蔵所４８の一端には開口部４８１１が形成され、開口部４８１１にはボール５０が設けられる。そして、貯蔵所４８内部の活性物質はボール５０を通って排出される。具体的に、ボール５０を皮膚に接触させて擦ると、皮膚とボール５０の間には皮膚表面に沿って摩擦力が作用する。この摩擦力はボール５０を回転させ、ボール５０が回転しながら貯蔵所４８内部の活性物質が皮膚に塗布される。ここで、ボール５０は貯蔵所４８の導電層３４２と電気的に連結される。このために別途の導電性連結部材５０１が備えられる。連結部材５０１の一端は導電層３４２に付着され、連結部材５０１の他端はボール５０と接触される。
【００８３】
イオン導入装置１００Ｅは貯蔵所４８の一端にボール５０を設けるので、別途の接触手段は不要であるために装置の構造が簡単になる。また、ボール５０の球面を通じて直接皮膚に活性物質を排出させるので、接触面による皮膚刺激を最少化することができる。
【００８４】
そして、本発明の実施形態にかかるイオン導入装置１００Ｅも図３で説明したことと同様に開口部４８１１とボール５０を保護するために貯蔵所４８またはハウジング１０に着脱可能なキャップ４２をさらに含むことができる。
【００８５】
図６と図７を参照すると、本発明の第６実施形態にかかるイオン導入装置１００Ｆは第１接触部６１６はハウジング１０の一端に着脱可能な構造で結合され、活性物質が充填される内部空間を有する。
【００８６】
ハウジング１０はバー形からなり、第１接触部６１６と結合する一端に突出部６１１が形成される。突出部６１１は円柱形状に形成され、突出部６１１の円周面には雄ネジ１３が形成される。
【００８７】
第１接触部６１６の内面には突出部６１１の雄ネジ１３に対応する雌ネジ１５が形成され、第１接触部６１６は突出部６１１とネジ結合する。したがって、使用者の必要に応じて第１接触部６１６をハウジング１０に装着したり着脱することができる。
【００８８】
第１接触部６１６は一端に開口部を有し、第１接触部６１６は開口部に設けられて回転するボール６１９を含む。ボール６１９は第１接触部６１６から活性物質を排出するための排出手段である。第１接触部６１６内部の活性物質はボール６１９を通じて排出される。具体的に、ボール６１９を皮膚に接触させて擦ると皮膚とボール６１９の間には皮膚表面に沿って摩擦力が作用する。この摩擦力はボール６１９を回転させ、ボール６１９が回転しながら第１接触部６１６内部の活性物質が皮膚に塗布される。ここで、ボール６１９は第１接触部６１６の導電層６１７と電気的に連結される。
【００８９】
本発明の第６実施形態にかかるイオン導入装置１００Ｆは第１接触部６１６の一端にボール６１９を設けるので、別途の接触手段は不要であるために装置の構造が簡単になる。また、ボール６１９の球面を通じて直接皮膚に活性物質を排出させて接触面による皮膚刺激を最少化することができる。
【００９０】
第１接触部６１６の内面には導電層６１７が形成され、第１接触部６１６全体が導電体で形成されることができる。第１接触部６１６は内面に導電層６１７が形成される場合、第１接触部６１６の外面は絶縁性材質からなることができる。そして、導電層６１７は第２連結線２６と電気的に連結される。
【００９１】
図８を参照すると、本発明の第７実施形態にかかる第１接触部は本体部７３６、ヘッド部７３８を含む。
【００９２】
本体部７３６は内面に突出部６１１の雄ネジ１３に対応する雌ネジ７３７が形成され、突出部６１１とネジ結合される。本体部７３６の内面には導電層が形成され、必要に応じて本体部７３６全体を導電体で形成することができる。
【００９３】
ヘッド部７３８は本体部７３６に結合されて皮膚マッサージを行う部分である。ヘッド部７３８は皮膚と接する形状を単数または複数のボールとして半球形に形成することができ、マッサージ部位に応じて多様に設計変更することができる。
【００９４】
本体部７３６とヘッド部７３８は一体に形成されることができる。
【００９５】
図９を参照すると、本発明の第８実施形態にかかる第１接触部はキャップ部８４０、ボディー部８４２、保護キャップ８４４を含み、アンプル（ａｍｐｕｌｅ）で構成することができる。図１０は図９の線Ｘ−Ｘによる断面図であり、キャップ部８４０とボディー部８４２のネジ結合関係と、突起部８４５と保護キャップ８４４のネジ結合関係が分かる。
【００９６】
キャップ部８４０は突出部６１１の雄ネジ１３と同一に形成される雄ネジ８４１を有する。キャップ部８４０はボディー部８４２に結合され、ボディー部８４２がハウジング１０の突出部６１１に結合時ボディー部８４２から分離される。
【００９７】
ボディー部８４２はキャップ部８４０が結合される上面が開口されて内部空間を有し、内面にはキャップ部８４０の雄ネジ８４１に対応する雌ネジ８４３が形成されてキャップ部８４０とネジ結合する。ボディー部８４２はガラス、アクリロニトリルブタジエンスチレン（ＡＢＳ）、ポリエチレン（ＰＥ）、ポリエチレンテレフタレート（ＰＥＴ）、導電性プラスチックの中でいずれか１種の材質からなることができる。
【００９８】
ボディー部８４２の下面には突起部８４５が結合される。突起部８４５はその一端に開口部を有する円筒形で形成され、第１接触部は開口部に設けられて回転するボール８４８を含む。突起部８４５の外周面には雄ネジ８４７が形成される。
【００９９】
一方、ボディー部８４２はガラスで形成され、ボディー部８４２の内面は導電性プラスチックで形成することができる。このような場合、導電性プラスチックはボディー部８４２の内側に形成される雌ネジ８４３からボール８４８が接する開口部まで形成されることができる。
【０１００】
また、ボディー部８４２の内面には導電層８５０が形成されることができる。ボディー部８４２内面に導電層８５０が形成される場合、ボディー部８４２の外面は絶縁性材質からなることができる。そして、導電層８５０は第２連結線２６と電気的に連結される。
【０１０１】
保護キャップ８４４は突起部８４５の雄ネジ８４７に対応する雌ネジ８４９を内面に形成し、突起部８４５とネジ結合する。保護キャップ８４４は第１接触部の開口部とボール８４８を保護するために第１接触部に着脱可能に結合することができる。
【０１０２】
図１１を参照すると、本発明の第９実施形態にかかる第１接触部はキャップ部８４０、ボディー部８４２、保護キャップ９６４を含み、アンプル（ａｍｐｕｌｅ）で構成することができる。図１２は図１１の線ＸII−ＸIIによる断面図であり、キャップ部８４０とボディー部８４２のネジ結合関係と、突起部８４５と保護キャップ９６４のネジ結合関係が分かる。
【０１０３】
キャップ部８４０とボディー部８４２の構成及び相互結合関係は本発明の第８実施形態と同一に適用することができる。
【０１０４】
一方、保護キャップ９６４は突起部８４５の雄ネジ８４７に対応する雌ネジ９６９を内面上部に形成し、突起部８４５とネジ結合する。保護キャップ９６４は第１接触部の開口部とボール８４８を保護するために第１接触部に着脱可能に結合できる。
【０１０５】
そして、保護キャップ９６４の下部にはヘッド部９６８を構成する。ヘッド部９６８は保護キャップ９６４に一体形に形成され、皮膚マッサージを行う部分である。ヘッド部９６８は皮膚と接する形状を単数または複数のボールとして半球形に形成することができ、マッサージ部位に応じて多様に設計変更することができる。保護キャップ９６４の内面には導電層が形成され、必要に応じて保護キャップ９６４全体を導電体で形成することができる。また、保護キャップ９６４とヘッド部９６８は一体に形成されることができる。
【０１０６】
上記のように保護キャップ９６４にヘッド部９６８を形成することによって活性物質の塗布と皮膚マッサージを別途に行うことができる。例えば、ボディー部８４２のボール８４８を利用して活性物質を皮膚に塗布する。次いで、ボディー部８４２の突起部８４５に保護キャップ９６４をネジ締結し、ヘッド部９６８を利用して皮膚マッサージを行うことができる。
【０１０７】
つまり、イオン導入装置の保護キャップ９６４をマッサージのヘッド部９６８として使用することができる。このような場合、保護キャップ９６４は第２接触部１８とは絶縁され、第１接触部またはボール８４８と電気的に連結される。
【０１０８】
図１３を参照すると、本発明の第１０実施形態にかかるイオン導入装置１００Ｇはハウジング１０−１、電池１２−１、電流制御回路１４−１、第１接触部１１６、貯蔵所１８２、第２接触部１８−１、操作部２０−１及び指示部２２−１を含む。
【０１０９】
説明に先立ち、第１実施形態と類似の構成要素については類似の図面符号を記載し、類似の機能については詳細説明を省略する。
【０１１０】
ハウジング１０−１はイオン導入装置１００Ｇの本体であり、その一端には電池１２−１を交換するように開閉部１２１−１が形成される。
【０１１１】
第１接触部１１６はボール接触部１６ａとキャップ接触部１６ｂを含む。
【０１１２】
ボール接触部１６ａは連結部材１６０、ボール１６２、弾性部材１６４を含み、ハウジング１０−１の一端部に該当する貯蔵所１８２の一端に結合される。ボール接触部１６ａは貯蔵所１８２内の活性物質が外部に流出される経路を形成する。ボール接触部１６ａは導電体で形成される。本発明の実施形態ではボール接触部１６ａが貯蔵所１８２の一端に結合されることを説明したが、ボール接触部１６ａは使用者の必要に応じてボール接触部１６ａをハウジング１０−１に装着したり、着脱することができる。
【０１１３】
連結部材１６０は貯蔵所１８２に一端が連結される。
【０１１４】
ボール１６２は連結部材１６０の他端に開口部を形成し、開口部に設けられて回転する。ボール１６２は貯蔵所１８２から活性物質を排出するための排出手段である。
【０１１５】
弾性部材１６４は連結部材１６０内で貯蔵所１８２の一端とボール１６２の間に備えられてボール１６２を支持する。弾性部材１６４は連結部材１６０の開口部に置かれたボール１６２に一定圧力を提供する。例えば、使用者がボール１６２を皮膚表面に押すと、ボール１６２は皮膚表面を押す力で弾性部材１６４を加圧する。この時、ボール１６２と連結部材１６０のスキ間へ活性物質が排出されて皮膚表面に塗布される。
【０１１６】
第１接触部１１６は電池１２−１に電気的に連結されながら、皮膚に直接接触する部分である。第１接触部１１６は使用者がケア（手当て）しようとする皮膚と直接接触する部位で、ハウジング１０−１の一端部に装着することができる。また、第１接触部１１６は部分的な皮膚との接触のために点または線接触が可能に構成される。
【０１１７】
第１接触部１１６は電気伝導性と皮膚安全性が優れたステレンス鋼からなることができ、その表面に窒化チタン（ＴｉＮ）からなるコーティング膜が形成されて皮膚のアレルギー反応を抑制することができる。
【０１１８】
貯蔵所１８２は連結部材１６０と連結される部分が一部突き出されて連結部材１６０内に挿入される円柱形状の突出部１８４を含む。
【０１１９】
突出部１８４は開口部１８５を有して活性物質の外部流出経路を形成する。
【０１２０】
図１６を参照すると、突出部１８４の開口部１８５に密着して弾性部材１６４を支持するガイド部材１６６をさらに含む。ガイド部材１６６は弾性部材１６４が密着するように凹溝の底面を有し、底面には活性物質の排出口１６８が形成される。ガイド部材１６６は円周方向にかかり部１６９が形成される。かかり部１６９の直径は突出部１８４の開口部１８５内径よりより大きく形成される。したがって、ガイド部材１６６は突出部１８４の開口部１８５に挿入されずにかかる。
【０１２１】
このような構成で、ボール１６２を皮膚に接触させて擦ると、皮膚とボール１６２の間には皮膚表面に沿って摩擦力が作用する。この摩擦力はボール１６２を回転させ、ボール１６２が回転しながら貯蔵所１８２内部の活性物質が皮膚に塗布される。ここで、ボール１６２は貯蔵所１８２の導電層と電気的に連結される。このために別途の導電性連結線または連結部材が備われる。連結線の一端は導電層に接続され、連結線の他端はボール１６２と接続することができる。
【０１２２】
本発明の第１０実施形態にかかるイオン導入装置１００Ｇは貯蔵所１８２の一端にボール接触部１６ａを設けるので、別途の接触手段が必要でない。したがって、イオン導入装置１００Ｇの構造が簡単になり得る。また、ボール１６２の球面に沿って直接的に皮膚に活性物質を排出させるので、接触面による皮膚刺激を最少化することができる。
【０１２３】
そして、本発明の実施形態にかかるイオン導入装置１００Ｇはボール接触部１６ａを保護するために貯蔵所１８２またはハウジング１０−１に着脱可能なキャップ接触部１６ｂをさらに含む。キャップ接触部１６ｂは導電体で形成する。キャップ接触部１６ｂが導電体で形成されることによって、皮膚マッサージを行う時、イオン導入機能を有することができる。
【０１２４】
キャップ接触部１６ｂはボール接触部１６ａが内部に含まれるように覆う構造で貯蔵所１８２に結合され、表面に皮膚をマッサージする。キャップ接触部１６ｂは図１４に示したようにハウジング１０−１から分離された状態で図１３と図１５に示したようにハウジング１０−１に結合される。キャップ接触部１６ｂがハウジング１０−１に結合された状態でキャップ接触部１６ｂの表面が皮膚に接触するようにした後、マッサージを行う。このような場合、キャップ接触部１６ｂは第２接触部１８−１とは絶縁され、ボール接触部１６ａと電気的に連結されることができる。
【０１２５】
第２接触部１８−１は電池１２−１に電気的に連結され、使用者がイオン導入装置１００Ｇを手で握って使用する時、直接使用者の手と接触する部位である。
【０１２６】
第２接触部１８−１は少なくとも一部分が透明な材質からなることができる。そして、貯蔵所１８２−１はガラス材質からなることができる。仮に、第２接触部１８−１が不透明な材質からなる場合には、貯蔵所１８２に貯蔵された活性物質の残留量を確認できる表示部を第２接触部１８−１の一部分に含むことができる。このような理由で、貯蔵所１８２に貯蔵された活性物質の残留量を確認することができる。
【０１２７】
貯蔵所１８２は第２接触部１８−１と貯蔵所１８２の間でボール接触部１６ａと電気的に連結される導電層を含む。貯蔵所１８２は第２接触部１８−１及び導電層から分離可能である。第２接触部１８−１は絶縁性材質からなる。
【０１２８】
以下では本発明の第１実施形態にかかるイオン導入装置を利用して活性物質の皮膚吸収程度に対する実験例について説明する。
【０１２９】
<実験例１>
ビタミンＣ誘導体のＡＡ−２Ｇ５％溶液を皮膚美白が必要なシミ、くすみなどの部位に塗布し、イオン導入装置を毎朝晩に１０乃至１５分ずつ２回自家施術した後、シミ、くすみなどの改善効果を実験した。３０才以上５９才以下の健康な成人被試験者２５名を対象とし、この実験を８週間行った。使用された電圧は６Ｖの電圧に３０％のデューティーサイクル（通電時間比率）であり、電流調節ボタンを調整して各自自分の皮膚に刺激のない強さで実験を進めた。これらを対象としたシミ改善効果を紫外線写真を撮って、次のような結果を得た。顔の一側はイオン導入装置の電源をオンにして自家施術して実験群とし、他側は電源を消して自家施術して対照群とした。
【０１３０】
第１に、本実験で１週間後から被試験者自分、その家族あるいは知人がシミ、くすみなどの改善効果を認知した。また、皮膚のシミを写真撮影してシミ改善の良否を判断した客観的評価でも実験群と対照群を比較した時、ＭＡＳＩ（Ｍｅｌａｓｍａ ａｒｅａ ａｎｄ ｓｅｖｅｒｉｔｙ ｉｎｄｅｘ）スコアが統計的に有意に差があって、美白の効能があることが証明された。（４週:ｐ<０．０５、８週:ｐ<０．００５）
【０１３１】
第２に、被試験者アンケートによる自家評価で、試料塗布及び自家施術期間が長くなるほど実験群で効果を認知する被試験者の数が増加した。
【０１３２】
第３に、人体試験期間中、皮膚副作用評価は対照群及び実験群とも深刻な皮膚副作用発生がなかった。ただし、イオン導入装置の自家施術中軽微なかゆい感じや刺激を感じることがあったが、施術完了時に直ちに無くなった。これについてはその他論文などでも報告されたことがある。
【０１３３】
本発明を上記に記載したように説明したが、次に記載する特許請求の範囲の概念と範囲を逸脱しない限り、多様な修正及び変形が可能であるということを本発明が属する技術分野に務める当業者であれば簡単に分かる。
【符号の説明】
【０１３４】
１０、１０−１    ハウジング
１２    電池
１３、８４７    雄ネジ
１４    電流制御回路
１５、７３７、８４９    雌ネジ
１６、４６、１１６、６１６    第１接触部
１６ａ    ボール接触部
１６ｂ    キャップ接触部
１８、１８−１    第２接触部
２０    操作部
２２    指示部  
２４    第１連結線
２６    第２連結線
２８    第３連結線
３０    第４連結線
３２    第５連結線
３４、３８、１８２、１８２−１    貯蔵所
４２    キャップ
５０、６１９、８４８    ボール
１００Ａ、１００Ｂ、１００Ｃ、１００Ｅ、１００Ｇ    イオン導入装置
１２１−１    開閉部
１６０    連結部材
１６６    ガイド部材
１６９    かかり部
１８４、６１１    突出部
１８５、４８１１    開口部
３４１、３８１    外部ケース
３４２、３８２、６１７    導電層
３６１    芯地
３８３    貯蔵筒
５０１    導電性連結部材
７３６、８４２    本体部
７３８、９６８    ヘッド部
８４０    キャップ部
８４４、９６４    保護キャップ
８４５    突起部
【図１】
2010502263.tif 000003
【図２】
2010502263.tif 000004
【図３】
2010502263.tif 000005
【図４】
2010502263.tif 000006
【図５】
2010502263.tif 000007
【図６】
2010502263.tif 000008
【図７】
2010502263.tif 000009
【図８】
2010502263.tif 000010
【図９】
2010502263.tif 000011
【図１０】
2010502263.tif 000012
【図１１】
2010502263.tif 000013
【図１２】
2010502263.tif 000014
【図１３】
2010502263.tif 000015
【図１４】
2010502263.tif 000016
【図１５】
2010502263.tif 000017
【図１６】
2010502263.tif 000018
【国際調査報告】
2010502263.tif 000019
2010502263.tif 000020